(57)【要約】【課題】シンプルな筐体の構造で、定在波の発生が抑止された高品質の音声情報を再生できるスピーカー装置を提供する。【解決手段】スピーカー装置１は、金属からなる板状の部材で形成された６つの面部３によって構成される箱状の筐体２を備える。筐体２は、内側において複数の面部３と結合する結合部材４と、筐体２の内側に取り付けられたスピーカーユニット５を備える。前面部３１と背面部３２、第一側面部３３と第二側面部３４、及び底面部３５と背面部３６とは、互いに平行ではなく所定の角度をなして傾斜して対向する。筐体２の内側において、結合部材４は、筐体２の辺６に沿って延びた部材であって、辺６にて隣接する少なくとも２つの面部３と結合される。結合部材４は、面部３のうち辺６に隣接する一部の接触領域において接触する。【選択図】図１
2020170909.tif 000002
【特許請求の範囲】
【請求項１】
金属からなる板状の部材で形成された６つの面部によって構成される箱状の筐体と、
前記筐体の内側において、複数の前記面部と結合する結合部材と、
前記筐体の内側に取り付けられたスピーカーユニットを備え、
前記面部は、前面部と、背面部と、第一側面部と、第二側面部と、底面部と、天面部とからなり、
前記スピーカーユニットは、前記前面部の内側のスピーカー取付面に取り付けられ、
前記前面部と前記背面部とを結ぶ方向を前後方向として、前記前面部の側を前側、前記背面部の側を後側とし、前記底面部と前記天面部とを結ぶ方向を上下方向とし、前記底面部の側を下側、前記天面部の側を上側とし、前記第一側面部と前記第二側面部とを結ぶ方向を幅方向としたとき、
前記第一側面部と前記第二側面部、及び前記底面部と前記天面部とが、前記前面部と前記背面部とを前記前後方向につなぎ、
前記前面部と前記背面部、前記第一側面部と前記第二側面部、及び前記底面部と前記天面部とは、互いに平行ではなく所定の角度をなして傾斜して対向し、
前記筐体の内側において、
前記結合部材は、前記筐体の辺に沿って延びた部材であって、前記辺にて隣接する少なくとも２つの前記面部と結合され、前記面部のうち前記辺に隣接する一部の接触領域において接触し、
前記面部のうち、少なくとも３つによって形成される前記辺の内側の全ては、前記結合部材が結合されたことを特徴とするスピーカー装置。
【請求項２】
前記結合部材は、前記第一側面部と前記第二側面部、及び前記背面部とによって形成される前記辺の内側の全てに結合され、
前記第一側面部と前記第二側面部に結合された前記結合部材は、
前記上下方向において、前記前面部に結合され、
前記前後方向において、前記底面部及び前記天面部とに結合されたことを特徴とする請求項１に記載のスピーカー装置。
【請求項３】
前記スピーカーユニットと前記スピーカー取付面との間にバッフル板が備えられ、
前記バッフル板は、前記スピーカー取付面に固定され、
前記面部のうち、少なくとも前記天面部と前記背面部と前記第一側面部と前記第二側面部とは、同じ厚みの部材によって形成され、
前記バッフル板は、前記面部のいずれよりも厚みが厚いことを特徴とする請求項1又は２に記載のスピーカー装置。
【請求項４】
前記結合部材において、前記辺に沿って延びる方向を長手方向としたとき、
前記面部における互いに対向する２つの前記辺を結ぶ方向において、
前記結合部材が前記長手方向に接触する前記接触領域を除いた任意の位置で、前記面部が前記結合部材と接触しない長さは、前記接触領域の長さの和の２倍以上であることを特徴とする請求項１から３のいずれかに記載のスピーカー装置。
【請求項５】
前記面部は、前記結合部材が接触する領域において、内側へ垂直方向に延びるようにネジ部材が結合され、
前記結合部材は、Ｌ字状の断面形状を有し前記辺に沿って延びる金属からなる板状の部材であって、隣接する２つの前記面部と接触可能であり、前記ネジ部材に対応する位置にネジ開口部が設けられ、
前記結合部材は、前記ネジ開口部に通された前記ネジ部材にナット部材が締結されることにより前記面部に結合されたことを特徴とする請求項１から４のいずれかに記載のスピーカー装置。
【請求項６】
前記面部は全て別体で形成され、
前記背面部を除いた隣接する前記面部は、前記辺において互いに接合され、
前記背面部は、前記結合部材に着脱可能に取り付けられたことを特徴とする請求項１から５のいずれかに記載のスピーカー装置。
【請求項７】
前記筐体は、
前記前面部と前記背面部とが、前記上側に向かうに従って前記前後方向の距離が短くなるように傾斜し、
前記第一側面部と前記第二側面部とが、前記上側に向かうに従って前記幅方向の距離が短くなり、かつ、前記前側から前記後側に向かうに従って前記幅方向の距離が短くなるように傾斜し、
前記天面部は、前記前面部から前記背面部に向かって前記下側に傾斜して構成され、
前記スピーカーユニットは、第一スピーカーユニットと第二スピーカーユニットからなり、
前記前後方向において、前記第一スピーカーユニットと前記背面部との間にダクト部材を備え、
前記背面部は、前記ダクト部材を臨む第一開口部を備え、
前記第一スピーカーユニットと前記第二スピーカーユニットとは、前記前面部の内側に前記上下方向に沿って並んで備えられ、
前記第一スピーカーユニットは、前記第二スピーカーユニットよりも低音域の音を再生可能であり、
前記第一スピーカーユニットは、前記第二スピーカーユニットよりも前記下側に備えられ、
前記ダクト部材は、前記上下方向における中心よりも前記下側に備えられたことを特徴とする請求項１から６のいずれかに記載のスピーカー装置。
【請求項８】
前記筐体は、
前記底面部に垂直な面であって前記前後方向に切断された第一切断面において、
前記底面部の内側が、前記スピーカー取付面となす角度と前記背面部の内側となす角度は鋭角であり、前記天面部の内側が前記背面部の内側となす角度は鈍角であり、
前記底面部に垂直な面であって前記幅方向に切断された第二切断面において、
前記底面部の内側が、前記第一側面部の内側となす角度と前記第二側面部の内側となす角度は鋭角であり、前記天面部の内側が、前記第一側面部の内側となす角度と前記第二側面部の内側となす角度は鈍角であり、
前記底面部と平行な面で切断された第三切断面において、
前記スピーカー取付面が、前記第一側面部の内側となす角度と前記第二側面部の内側となす角度は鋭角であり、前記背面部の内側が、前記第一側面部の内側となす角度と前記第二側面部の内側となす角度は鈍角であり、
前記第一スピーカーユニットから音声が再生されたとき、
前記第一スピーカーユニットから伝播された音波が、前記天面部の内側に反射する反射波と、前記第一側面部の内側に反射する反射波と、前記第二側面部の内側に反射する反射波、及び前記背面部の内側に反射する反射波は、前記筐体が対向する面の内側が全て平行な面で形成された直方体に比べて、より前記下側であってかつ前記前側に向かうことを特徴とする請求項７に記載のスピーカー装置。
【請求項９】
前記第二切断面において、
前記底面部の内側が、前記第一側面部の内側となす角度と前記第二側面部の内側となす角度は等しく、前記天面部の内側が、前記第一側面部の内側となす角度と前記第二側面部の内側となす角度は等しく、
前記第三切断面において、
前記スピーカー取付面が、前記第一側面部の内側となす角度と前記第二側面部の内側となす角度は等しく、
前記天面部と前記背面部とに反射する前記反射波は、さらに前記前側に均等に向かい、
前記第一側面部と前記第二側面部とに反射する前記反射波は、さらに前記幅方向の中心に均等に向かうことを特徴とする請求項８に記載のスピーカー装置。
【請求項１０】
前記底面部の内側に形成され、前記ダクト部材が取り付けられるダクト取付部を備え、
前記ダクト部材は、前記ダクト取付部に対応する位置と前記背面部の前記第一開口部に対応する位置の少なくとも２箇所にシール部材が取り付けられ、
前記ダクト部材が前記ダクト取付部に取り付けられたとき、
前記シール部材が前記ダクト部材と前記ダクト取付部、及び前記ダクト部材と前記背面部とに接触して隙間を塞ぎ、
前記ダクト部材は、前記シール部材と前記ダクト取付部及び前記背面部とが離間することにより前記筐体から着脱可能であることを特徴とする請求項７から９のいずれかに記載のスピーカー装置。
【請求項１１】
前記シール部材は円筒の一部に鍔部を有する形状であり、
前記シール部材の弾性率は、前記ダクト部材と前記ダクト取付部、及び前記背面部のいずれよりも小さく、
前記ダクト部材は、前記シール部材を介して前記ダクト取付部と前記背面部とに接触し、
前記ダクト取付部は前記後側で前記鍔部に接触し、前記背面部は前記前側で前記鍔部に接触することを特徴とする請求項１０に記載のスピーカー装置。
【請求項１２】
前記筐体の内側において、
前記スピーカーユニットに接続され、前記スピーカーユニットにて再生される音の周波数を制御する制御装置と、
前記制御装置が着脱可能に載置される棚部材とを備え、
前記棚部材は、前記天面部と前記底面部との間にあって、前記前後方向に沿って前記第一側面部と前記第二側面部とに結合され、前記前側に前面側開口部と前記後側に背面側開口部とを備え、
前記制御装置は、前記棚部材において、前記前後方向及び前記幅方向の中央部に載置され、
前記背面部は第二開口部を備え、前記制御装置に接続された導線部材が前記第二開口部に接続されたことを特徴とする請求項１から１１のいずれかに記載のスピーカー装置。
【請求項１３】
前記制御装置は、前記棚部材に対して前記背面部の側から着脱可能であることを特徴とする請求項１２に記載のスピーカー装置。
【発明の詳細な説明】
【技術分野】
【０００１】
本発明は、スピーカー装置に関する。
【背景技術】
【０００２】
従来、スピーカー装置は、筐体の内部で発生する定在波を抑止するために、種々の提案がなされている。例えば、特許文献１に記載の密閉型スピーカー装置は、多数の多角面で構成されたスピーカーボックスを有する。スピーカーボックスは、バッフル板にスピーカーユニットを１基又は複数基有する前面のバッフル体と、バッフル板と並行に配置されると共にバッフル体より小さい背面板と、後部側に向かうに従い内側に傾斜する側面板から構成される多面体である。
【０００３】
特許文献１の密閉型スピーカー装置は、バッフル体が正面から見て方形に形成されている。バッフル体の周囲には後部側に向かうに従い外側に傾斜する傾斜部が形成される。具体的には、傾斜部は、略正三角形で形成されるコーナー部と、後方側を底辺とする台形で形成される側部とが交互に配置されて構成される。８角形のバッフル板に、傾斜部を構成する略正三角形のコーナー部と台形の側部が、後部側へ向かうに従い外側に傾斜する角度を以って接合され、バッフル体を形成している。バッフル体は９面体を構成している。
【０００４】
スピーカーボックスの側面板は、第１三角形を構成する側面板と第２三角形を構成する側面板によって構成される。側面板は、後部側に向うに従い内側に傾斜し、背面板に向うほど断面積が減少するように構成される。第１三角形を構成する側面板の底辺は、バッフル体の傾斜部を構成する側部の台形の底辺と接するように配置される。第２三角形を構成する側面板の底辺は、略菱形の背面板の一辺に接するように配置される。第１三角形を構成する側面板と、第２三角形を構成する側面板は、逆向きに交互に配置されて接合される。背面板の内側は、バッフル板との並行面を無くすための拡散部材が設けられている。特許文献１に記載の密閉型スピーカー装置は、スピーカーボックスが１８面体であり、側面に並行板を持たないため、内部定在波を減少させることができる。
【先行技術文献】
【特許文献】
【０００５】
【特許文献１】特開２０１５−７３２５７号公報
【発明の概要】
【発明が解決しようとする課題】
【０００６】
しかしながら、従来例のスピーカー装置は、スピーカーボックスが１８面体の多面体構造であり、形状が複雑である。従来例のスピーカーボックスは、製造に手間がかかり製造コストが高くなるとともに、外観デザインに制約が生じるという課題がある。
【０００７】
本発明の目的は、従来の課題を解決すべくなされたものであり、シンプルな筐体の構造で、定在波の発生が抑止された高品質の音声情報を再生できるスピーカー装置を提供することにある。
【課題を解決するための手段】
【０００８】
本発明の態様に係るスピーカー装置は、金属からなる板状の部材で形成された６つの面部によって構成される箱状の筐体と、前記筐体の内側において、複数の前記面部と結合する結合部材と、前記筐体の内側に取り付けられたスピーカーユニットを備え、前記面部は、前面部と、背面部と、第一側面部と、第二側面部と、底面部と、天面部とからなり、前記スピーカーユニットは、前記前面部の内側のスピーカー取付面に取り付けられ、前記前面部と前記背面部とを結ぶ方向を前後方向として、前記前面部の側を前側、前記背面部の側を後側とし、前記底面部と前記天面部とを結ぶ方向を上下方向とし、前記底面部の側を下側、前記天面部の側を上側とし、前記第一側面部と前記第二側面部とを結ぶ方向を幅方向としたとき、前記第一側面部と前記第二側面部、及び前記底面部と前記天面部とが、前記前面部と前記背面部とを前記前後方向につなぎ、前記前面部と前記背面部、前記第一側面部と前記第二側面部、及び前記底面部と前記天面部とは、互いに平行ではなく所定の角度をなして傾斜して対向し、前記筐体の内側において、前記結合部材は、前記筐体の辺に沿って延びた部材であって、前記辺にて隣接する少なくとも２つの前記面部と結合され、前記面部のうち前記辺に隣接する一部の接触領域において接触し、前記面部のうち、少なくとも３つによって形成される前記辺の内側の全ては、前記結合部材が結合されたことを特徴とする。
【０００９】
これによれば、スピーカー装置の筐体は６つの面部を基本として構成される箱状であり、対向する面部同士は互いに平行では無く所定の角度をなして傾斜する。よって、シンプルな外観形状であり、筐体内部は互いに平行に対向する面部が無いので、定在波が発生することを抑止することができ、高品質な音声を再現できるという効果がある。
【００１０】
さらに、結合部材は、少なくとも２つの面部と結合され、面部のうち辺に隣接する一部の接触領域において接触する。面部のうちの少なくとも３つにおいて、隣接する他の面部との間の全てに結合部材が備えられる。６つの面部によって構成される筐体の場合、そのうちの３つの面部は必ず連続しており、３つの面部が３方を囲む他の２つの面部とも結合部材が結合される。よって、結合部材によって各辺における強度が高められるとともに、隣接する面部との間の強度も強くなるので、筐体の剛性を高めることができる。結合部材は各面部と接触する領域が各辺に隣接する一部に限られるので、各面部は、結合部材と接触しない領域が大きくなり、スピーカーユニットから伝播された音波による振動を妨げないという効果がある。
【００１１】
さらに、結合部材によって剛性が高められるため、筐体は各面部の厚みを薄くしても剛性が維持される。筐体が同じ外形寸法の場合、内容積は各面部の厚みを薄くすることで大きくすることができる。よって、スピーカー装置は、スピーカーユニットが有する最低周波数付近の音まで再生できるので低音域での音の再現性が高められ、さらに歪みが少なくなめらかな中高音域の音を再生できるという効果がある。
【００１２】
さらに、各面部は厚みを選定する自由度が高まるので、筐体によって再生される音質の調整が容易となる。特に、各面部の厚みを薄くすれば、スピーカーユニットから伝播された音声を受けて各面部が振動しやすくなるので、低音域での音声の再生が容易となり、中高音域での音の歪みを低減できる。合わせて、筐体の重量を軽くすることができ、取扱が便利となる。
【００１３】
また、前記スピーカー装置は、前記結合部材が、前記第一側面部と前記第二側面部、及び前記背面部とによって形成される前記辺の内側の全てに結合され、前記第一側面部と前記第二側面部に結合された前記結合部材は、前記上下方向において、前記前面部に結合され、前記前後方向において、前記底面部及び前記天面部とに結合されてもよい。
【００１４】
この場合、結合部材が、第一側面部と第二側面部、及び背面部との連続する３つの面部によって形成される辺の内側の全てに結合される。さらに他の面部である前面部、底面部、及び天面部は、２つの辺において結合部材が結合される。よって、筐体の剛性が高くなるという効果がある。
【００１５】
前記スピーカー装置は、前記スピーカーユニットと前記スピーカー取付面との間にバッフル板が備えられ、前記バッフル板は、前記スピーカー取付面に固定され、前記面部のうち、少なくとも前記天面部と前記背面部と前記第一側面部と前記第二側面部とは、同じ厚みの部材によって形成され、前記バッフル板は、前記面部のいずれよりも厚みが厚くてもよい。
【００１６】
この場合、スピーカーユニットはバッフル板を介してスピーカー取付面に取り付けられるので、前面部の剛性が高くなる。スピーカーユニットは前面部よりも厚いバッフル板を介して前面部に取り付けられるので、よりスピーカーユニットによる振動を抑制できる。面部のうち、少なくとも天面部と背面部と第一側面部と第二側面部とは同じ厚みの部材によって形成され、他の面部を含めてバッフル板よりも薄い。よって、各面部は、スピーカーユニットから再生される音を受けて振動することができる。スピーカー装置は、スピーカーユニットが有する最低周波数付近の音まで再生できるので低音域での音の再現性が高められ、さらに歪みが少なくなめらかな中高音域の音を再生できるという効果がある。
【００１７】
前記スピーカー装置は、前記結合部材において、前記辺に沿って延びる方向を長手方向としたとき、前記面部における互いに対向する２つの前記辺を結ぶ方向において、前記結合部材が前記長手方向に接触する前記接触領域を除いた任意の位置で、前記面部が前記結合部材と接触しない長さは、前記接触領域の長さの和の２倍以上でもよい。
【００１８】
この場合、各辺において結合部材は各面部の一部のみと接触し、各面部は結合部材と接触しない領域の方が大きいので、各面部が有する振動特性を維持できる。よって、各面部は、スピーカーユニットから伝播された音波を受けて振動しやすい。スピーカー装置は、スピーカーユニットが有する最低周波数付近の音まで再生できるので低音域での音の再現性が高められ、さらに歪みが少なくなめらかな中高音域の音を再生できるという効果がある。
【００１９】
また、前記スピーカー装置の前記面部は、前記結合部材が接触する領域において、内側へ垂直方向に延びるようにネジ部材が結合され、前記結合部材は、Ｌ字状の断面形状を有し前記辺に沿って延びる金属からなる板状の部材であって、隣接する２つの前記面部と接触可能であり、前記ネジ部材に対応する位置にネジ開口部が設けられ、前記結合部材は、前記ネジ開口部に通された前記ネジ部材にナット部材が締結されることにより前記面部に結合されてもよい。
【００２０】
この場合、ネジ部材が筐体の外側に出ることがないので外観デザインが向上する。また、ネジ部材は外観デザインに左右されにくいので、取付位置或いはサイズの自由度が高く、設計上の自由度が高まるという効果がある。
【００２１】
前記スピーカー装置は、前記面部が全て別体で形成され、前記背面部を除いた隣接する前記面部は、前記辺において互いに接合され、前記背面部は、前記結合部材に着脱可能に取り付けられてもよい。
【００２２】
この場合、各面部は各辺において互いに接合されるので、各辺において隙間の発生を防止する。よって、筐体からの音漏れを防止することができる。また、各辺において接合強度等の条件を同一にすることができるので、筐体全体の剛性バランスが崩れないという効果がある。各面部は、単独で制作できるので製造が容易である。
【００２３】
前記スピーカー装置の前記筐体は、前記前面部と前記背面部とが、前記上側に向かうに従って前記前後方向の距離が短くなるように傾斜し、前記第一側面部と前記第二側面部とが、前記上側に向かうに従って前記幅方向の距離が短くなり、かつ、前記前側から前記後側に向かうに従って前記幅方向の距離が短くなるように傾斜し、前記天面部は、前記前面部から前記背面部に向かって前記下側に傾斜して構成され、前記スピーカーユニットは、第一スピーカーユニットと第二スピーカーユニットからなり、前記前後方向において、前記第一スピーカーユニットと前記背面部との間にダクト部材を備え、前記背面部は、前記ダクト部材を臨む第一開口部を備え、前記第一スピーカーユニットと前記第二スピーカーユニットとは、前記前面部の内側に前記上下方向に沿って並んで備えられ、前記第一スピーカーユニットは、前記第二スピーカーユニットよりも低音域の音を再生可能であり、前記第一スピーカーユニットは、前記第二スピーカーユニットよりも前記下側に備えられ、前記ダクト部材は、前記上下方向における中心よりも前記下側に備えられてもよい。
【００２４】
この場合、スピーカー装置は、天面部の側に比べて底面部の側の内容積が大きくなるので、底面部を接地面として設置したときに安定するという効果がある。より重量が大きく低音域の音を再生する第一スピーカーユニットが下側に備えられるので、スピーカー装置の重心位置が下側になり、底面部を座面としたときに安定する。
【００２５】
さらに、第一スピーカーユニットは、上下方向における中心よりも下側に位置するので内容積が大きい領域にある。よって、スピーカー装置は、スピーカーユニットが有する最低周波数付近の音まで再生できるので低音域での音の再現性が高められ、さらに歪みが少なくなめらかな中高音域の音を再生できるという効果がある。
【００２６】
さらに、筐体は、第一側面部と第二側面部とが、上側に向かうに従って幅方向の距離が短くなり、かつ、前側から後側に向かうに従って幅方向の距離が短くなるように傾斜している。よって、前面部から背面部に向かうに従って断面積が減少するよう構成されるので、効率よく音を増幅又は減衰させることができる。
【００２７】
さらに、前後方向において、第一スピーカーユニットと背面部との間にダクト部材を備える。よって、第一スピーカーユニットの直接音とダクト部材内で発生する低音とが共鳴することによって、音が増強されるいわゆるバスレフ効果が生じる。ダクト部材は、内容積が大きい領域に位置するので、よりバスレフ効果が大きくなるという効果がある。特に、上下方向における中心よりも下側は、上側よりも前後方向の距離が長くなるので、ダクト部材の長さを長くすることができる。よって、よりバスレフ効果を高めることができるという効果がある。
【００２８】
また、前記スピーカー装置の前記筐体は、前記底面部に垂直な面であって前記前後方向に切断された第一切断面において、前記底面部の内側が、前記スピーカー取付面となす角度と前記背面部の内側となす角度は鋭角であり、前記天面部の内側が前記背面部の内側となす角度は鈍角であり、前記底面部に垂直な面であって前記幅方向に切断された第二切断面において、前記底面部の内側が、前記第一側面部の内側となす角度と前記第二側面部の内側となす角度は鋭角であり、前記天面部の内側が、前記第一側面部の内側となす角度と前記第二側面部の内側となす角度は鈍角であり、前記底面部と平行な面で切断された第三切断面において、前記スピーカー取付面が、前記第一側面部の内側となす角度と前記第二側面部の内側となす角度は鋭角であり、前記背面部の内側が、前記第一側面部の内側となす角度と前記第二側面部の内側となす角度は鈍角であり、前記第一スピーカーユニットから音声が再生されたとき、前記第一スピーカーユニットから伝播された音波が、前記天面部の内側に反射する反射波と、前記第一側面部の内側に反射する反射波と、前記第二側面部の内側に反射する反射波、及び前記背面部の内側に反射する反射波は、前記筐体が対向する面の内側が全て平行な面で形成された直方体に比べて、より前記下側であってかつ前記前側に向かってもよい。
【００２９】
この場合、より低音域の音声を再生する第一スピーカーユニットから伝播される音波の反射波は、より下側であってかつ前側へ向かうので、より広い空間へ反射する。よって、スピーカー装置は、定在波の発生が抑止され、スピーカーユニットが有する最低周波数付近の音まで再生できるので低音域での音の再現性が高められ、さらに歪みが少なくなめらかな中高音域の音を再生できるという効果がある。
【００３０】
また、前記スピーカー装置は、前記第二切断面において、前記底面部の内側が、前記第一側面部の内側となす角度と前記第二側面部の内側となす角度は等しく、前記天面部の内側が、前記第一側面部の内側となす角度と前記第二側面部の内側となす角度は等しく、前記第三切断面において、前記スピーカー取付面が、前記第一側面部の内側となす角度と前記第二側面部の内側となす角度は等しく、前記天面部と前記背面部とに反射する前記反射波は、さらに前記前側に均等に向かい、前記第一側面部と前記第二側面部とに反射する前記反射波は、さらに前記幅方向の中心に均等に向かってもよい。
【００３１】
この場合、天面部と背面部とに反射する反射波は、さらに前側に均等に向かい、第一側面部と第二側面部とに反射する反射波は、さらに前記幅方向の中心に均等に向かう。第一スピーカーユニットから再生された音波の反射波は、筐体のうちの広い空間である下側であって前側に均等に向かう。よって、スピーカー装置は、スピーカーユニットが有する最低周波数付近の音まで再生できるので低音域での音の再現性が高められ、さらに歪みが少なくなめらかな中高音域の音を再生できるという効果がより顕著である。
【００３２】
また、前記スピーカー装置は、前記底面部の内側に形成され、前記ダクト部材が取り付けられるダクト取付部を備え、前記ダクト部材は、前記ダクト取付部に対応する位置と前記背面部の前記第一開口部に対応する位置の少なくとも２箇所にシール部材が取り付けられ、前記ダクト部材が前記ダクト取付部に取り付けられたとき、前記シール部材が前記ダクト部材と前記ダクト取付部、及び前記ダクト部材と前記背面部とに接触して隙間を塞ぎ、前記ダクト部材は、前記シール部材と前記ダクト取付部及び前記背面部とが離間することにより前記筐体から着脱可能でもよい。
【００３３】
この場合、シール部材がダクト部材とダクト取付部、及びダクト部材と背面部とに接触して隙間を塞ぐので、筐体からの音漏れを防止できる。また、ダクト部材は、シール部材とダクト取付部及び背面部とが離間することにより着脱可能なので、ユーザーは異なる特性を持つダクト部材と交換することができる。スピーカー装置は、ダクト部材内で発生する低音域を変更することができるので、バスレフ効果により異なった音域の音声を再生できるという効果がある。
【００３４】
また、前記スピーカー装置は、前記シール部材が円筒の一部に鍔部を有する形状であり、前記シール部材の弾性率は、前記ダクト部材と前記ダクト取付部、及び前記背面部のいずれよりも小さく、前記ダクト部材は、前記シール部材を介して前記ダクト取付部と前記背面部とに接触し、前記ダクト取付部は前記後側で前記鍔部に接触し、前記背面部は前記前側で前記鍔部に接触してもよい。
【００３５】
この場合、ダクト部材はシール部材を介してダクト取付部と背面部とに接触するので、ダクト部材がダクト取付部及び背面部と接触することがない。また、シール部材の弾性率は、ダクト部材とダクト取付部、及び背面部のいずれよりも小さいので、ダクト部材にて発生する振動がダクト取付部及び背面部に直接伝達することが抑制される。よって、スピーカー装置は、ダクト取付部及び背面部の影響を抑止してダクト部材の効果を発揮できる。
【００３６】
また、前記スピーカー装置は、前記筐体の内側において、前記スピーカーユニットに接続され、前記スピーカーユニットにて再生される音の周波数を制御する制御装置と、前記制御装置が着脱可能に載置される棚部材とを備え、前記棚部材は、前記天面部と前記底面部との間にあって、前記前後方向に沿って前記第一側面部と前記第二側面部とに結合され、前記前側に前面側開口部と前記後側に背面側開口部とを備え、前記制御装置は、前記棚部材において、前記前後方向及び前記幅方向の中央部に載置され、前記背面部は第二開口部を備え、前記制御装置に接続された導線部材が前記第二開口部に接続されてもよい。
【００３７】
この場合、棚部材は、第一側面部と第二側面部に結合されるので、筐体の剛性を高めることができる。前面側開口部と背面側開口部を有するので、前面部の側のスピーカーユニットから再生された音声と背面部にて発生する反射波とが、棚部材で遮蔽されるのを防止する。よって、再生された音波と反射波は、筐体の内部の全領域で伝播することができる。スピーカー装置は、スピーカーユニットが有する最低周波数付近の音まで再生できるので低音域での音の再現性が高められ、さらに歪みが少なくなめらかな中高音域の音を再生できるという効果がある。
【００３８】
さらに、筐体の内部に制御装置が載置されるので、スピーカー装置と外部とを接続するターミナルの数を少なくでき、スピーカー装置外部の配線が少なくなる効果がある。棚部材は、底面部と天面部との間にあって、制御装置は棚部材において、前後方向及び幅方向の中央部に載置されるので、各面部から離間している。よって、制御装置は、各面部がスピーカーユニットから再生された音によって発生する振動を妨げない効果がある。
【００３９】
また、前記スピーカー装置の前記制御装置は、前記棚部材に対して前記背面部の側から着脱可能でもよい。この場合、制御装置は棚部材に着脱可能なので、制御装置を交換することで、スピーカーユニットにて再生される音の周波数を変更できるという効果がある。
【図面の簡単な説明】
【００４０】
【図１】本発明の態様に係るスピーカー装置１の斜視図であって、第二側面部３４を除いた図である。
【図２】本発明の態様に係るスピーカー装置１の斜視図であって、結合部材４とバッフル板１０、及び棚部材８を示した図である。
【図３】図２における結合部材４のうち、第一側面部３３と第二側面部３４とに結合するものを取り出した図である。
【図４】本発明の態様に係るスピーカー装置１の正面図である。
【図５】本発明の態様に係るスピーカー装置１の右側面図である。
【図６】本発明の態様に係るスピーカー装置１の底面図である。
【図７】本発明の態様に係るスピーカー装置１の平面図である。
【図８】本発明の態様に係るスピーカー装置１の背面図である。
【図９】図４における第一切断面４１（Ａ−Ａ視方向）の図である。
【図１０】図５における第二切断面４２（Ｂ−Ｂ視方向）の図である。
【図１１】図４における第三切断面４３（Ｄ−Ｄ視方向）の図である。
【図１２】図４における断面Ａ−Ａである。
【図１３】図１２におけるダクト部材１１とダクト取付部１２の第一の例を示す図である。
【図１４】図１２におけるダクト部材１１とダクト取付部１２の第二の例を示す図であり、（ａ）はダクト部材１１がダクト取付部１２に取り付けられた状態の図であり、（ｂ）はシール部材１３ｂとその断面Ｅ−Ｅを示す図である。
【図１５】結合部材４が面部３に取り付けられる状態を示した図であり、（ａ）は各部品が取り付けられる前の状態を示し、（ｂ）は結合部材４が面部３に取り付けられた状態を示した図である。
【図１６】制御装置７の回路図である。
【図１７】スピーカー装置１と他のスピーカー装置１’とを比較した周波数特性曲線図であり、（ａ）は低周波数領域の特性を示し、（ｂ）は中高周波数領域の特性を示す。
【発明を実施するための形態】
【００４１】
以下、図面を参照し、本発明を具現化したスピーカー装置１を説明する。参照する図面は、本発明が採用しうる技術的特徴を説明するために用いられるものである。図面に記載されている装置の構成、その他は、それのみに限定する趣旨ではなく、単なる説明例である。
【００４２】
＜スピーカー装置１の全体構成＞
図１〜図８、図１２を参照して、本発明の態様に係るスピーカー装置１の全体構成を説明する。スピーカー装置１は、金属からなる板状の部材で形成された６つの面部３によって構成される箱状の筐体２を備える。筐体２は、内側において複数の面部３と結合する結合部材４と、筐体２の内側に取り付けられたスピーカーユニット５を備える。
【００４３】
図１に示すように、面部３は、前面部３１と、背面部３２と、第一側面部３３と、第二側面部３４と、底面部３５と、天面部３６とからなる。スピーカーユニット５（５ａ、５ｂ）は、前面部３１の内側のスピーカー取付面３１ａに取り付けられる（図１２参照）。前面部３１と背面部３２とを結ぶ方向を前後方向として、前面部３１の側を前側、背面部３２の側を後側とする。底面部３５と天面部３６とを結ぶ方向を上下方向とし、底面部３５の側を下側、天面部３６の側を上側とする。第一側面部３３と第二側面部３４とを結ぶ方向を幅方向とする。第一側面部３３と第二側面部３４、及び底面部３５と天面部３６とが、前面部３１と背面部３２とを前後方向につなぐ。ここで、図４に示すように、正面図において向かって左側の側面が第一側面部３３であり、右側が第二側面部３４である。
【００４４】
図４〜８に示すように、前面部３１と背面部３２、第一側面部３３と第二側面部３４、及び底面部３５と天面部３６とは、互いに平行ではなく所定の角度θ（後述する図９〜図１１参照）をなして傾斜して対向する。筐体２の内側において、結合部材４は、筐体２の辺６に沿って延びた部材であって、辺６にて隣接する少なくとも２つの面部３と結合される。結合部材４は、面部３のうち辺６に隣接する一部の接触領域において接触する。６つの面部３のうち、少なくとも３つによって形成される辺６の内側の全ては、結合部材４が結合される。６つの面部３によって構成される筐体２の場合、そのうちの３つの面部３は必ず連続しており、３つの面部３が三方を囲む他の２つの面部３も結合部材４が結合される。
【００４５】
＜スピーカー装置１の全体構成による効果＞
以上説明したように、スピーカー装置１は全体構成において種々の効果を奏する。図１、図４〜図８に示すように、スピーカー装置１の筐体２は６つの面部３を基本として構成される箱状であり、対向する面部３同士は互いに平行では無く所定の角度θをなして傾斜する。よって、シンプルな外観形状であり、筐体２の内部は互いに平行に対向する面部３が無いので、定在波が発生することを抑止することができ、高品質な音声を再現できるという効果がある。
【００４６】
さらに、図２に示すように、結合部材４は、少なくとも２つの面部３と結合され、面部３のうち辺６に隣接する一部の接触領域において接触する。面部３のうちの少なくとも３つにおいて、隣接する他の面部３との間には結合部材４が全て備えられる。よって、結合部材４によって各辺６における強度が高められるとともに、隣接する面部３との間の強度も強くなるので、筐体２の剛性を高めることができる。結合部材４は各面部３と接触する領域が各辺６に隣接する一部に限られる。よって、各面部３は、結合部材４と接触しない領域が大きくなり、スピーカーユニット５から伝播された音波Ｌによる振動を妨げないという効果がある。接触領域の詳細については後述する。
【００４７】
さらに、結合部材４によって剛性が高められるため、筐体２は各面部３の厚みを薄くしても剛性が維持される。筐体２が同じ外形寸法の場合、内容積は各面部３の厚みを薄くすることで大きくすることができる。よって、スピーカー装置１は、スピーカーユニット５が有する最低周波数付近の音まで再生できるので低音域での音の再現性が高められ、さらに歪みが少なくなめらかな中高音域の音を再生できるという効果がある。
【００４８】
さらに、各面部３は厚みを選定する自由度が高まるので、筐体２によって再生される音質の調整が容易となる。特に、各面部３の厚みを薄くすれば、スピーカーユニット５から伝播された音波Ｌを受けて各面部が振動しやすくなるので、低音域での音声の再生が容易となるとともに、歪みが少なくなめらかな中高音域の音を再生できる。合わせて、筐体２の重量を軽くすることができ、取扱が便利となる。スピーカー装置１の周波数特性の詳細は後述する。
【００４９】
＜面部３、結合部材４の構成＞
次に、各構成要素を詳細に説明する。まず、図２、図１２を参照して、各面部３と結合部材４との関係について説明する。スピーカー装置１は、結合部材４が、第一側面部３３と第二側面部３４、及び背面部３２とによって形成される辺６の内側の全てに結合される。第一側面部３３と第二側面部３４に結合された結合部材４は、上下方向において、前面部３１に結合され、前後方向において、底面部３５及び天面部３６とに結合される。
【００５０】
図１２に示すよう、スピーカー装置１は、スピーカーユニット５とスピーカー取付面３１ａとの間にバッフル板１０が備えられる。バッフル板１０は、スピーカー取付面３１ａに固定される。面部３のうち、少なくとも天面部３６と背面部３２と第一側面部３３と第二側面部３４とは、同じ厚みの部材によって形成され、バッフル板１０は、面部３のいずれよりも厚みが厚い。本実施形態では、例として天面部３６と背面部３２と第一側面部３３と第二側面部３４の厚みは２．３ｍｍであり、バッフル板１０は６ｍｍである。なお、前面部３１と底面部３５はさらに厚みが厚くてもよいが、一例として厚み２．３ｍｍでもよい。
【００５１】
図１２に示すように、第一スピーカーユニット５ａと第二スピーカーユニット５ｂは、バッフル板１０を挟んで前面部３１の内側であるスピーカー取付面３１ａに取り付けられる。バッフル板１０にはそれぞれ第一スピーカーユニット５ａと第二スピーカーユニット５ｂに対応した位置に開口部１０ａ、１０ｂ（図２参照）があり、再生された音声が筐体２の外部へ直接伝播される。バッフル板１０の内側であって第二スピーカーユニット５ｂの周りには、遮蔽部材１８が取り付けられ、第二スピーカーユニット５ｂから再生される音声を筐体２の内部に伝播されにくくしている。
【００５２】
次に、図２を参照して、結合部材４と各面部３との関係をさらに詳細に説明する。結合部材４において、辺６に沿って延びる方向を長手方向とする。面部３における互いに対向する２つの辺６を結ぶ方向において、結合部材４が長手方向に接触する接触領域を除いた任意の位置で、面部３が結合部材４と接触しない長さｍは、接触領域の長さｎの和の２倍以上である。
【００５３】
次に、結合部材４の構成を詳細に説明する。図２に示すように、結合部材４は、辺６の内側に備えられる。各辺６のそれぞれについて、単独の結合部材４が備えられるか、或いは連続する複数の辺６に沿うように結合部材４が一体になっていてもよい。図３に示す例では、第一側面部３３が底面部３５、天面部３６、及び背面部３２とに結合される結合部材４と、第二側面部３４が底面部３５、天面部３６、及び背面部３２とに結合される結合部材４はそれぞれ一体で形成されている。結合部材４は、各面部３に結合されたとき、複数の辺６に渡って一体で形成されていた方が、筐体２の剛性が高くなる。
【００５４】
図２の例では、前面部３１の上側の辺６と下側の辺６には結合部材４が備えられていない。これは、前面部３１は、スピーカー取付面３１ａにバッフル板１０が取り付けられて剛性が高められるからである。なお、前面部３１の上側の辺６と下側の辺６は、結合部材４が備えられてもよい。
【００５５】
上述したように、結合部材４は面部３のうち辺６に隣接する一部の接触領域において接触する。例えば、図２に示すように天面部３６において、第一側面部３３と第二側面部３４とに隣接し互いに対向する辺６を結ぶ方向における最短距離を例とする。その間で結合部材４の距離がそれぞれｎであり、天面部３６のうち結合部材４と接触しない距離がｍのとき、ｍ＞２×（ｎ＋ｎ）の関係が成り立つ。すなわち、天面部３６の距離ｍは２つの結合部材４の距離ｎよりも十分に長い。一例として、天面部３６のうち対向する辺６を結ぶ長さのうち接触領域を除く部分の最短距離は１４６ｍｍ、結合部材４の距離ｎは２０ｍｍなので、面部３が結合部材４と接触しない長さｍは１０６ｍｍである。これは、ｍ＞２×（ｎ＋ｎ）の関係を満たす。図２に示す例では、各面部３において、対向する辺６を結ぶ距離のうち天面部３６の後側が最も短いので、この関係は他の面部３において、上下方向、前後方向、及び幅方向の全てにおいて成り立っている。
【００５６】
次に、結合部材４と各面部３との結合について説明する。図２及び図１５に示すように、各面部３は、結合部材４が接触する領域において、内側へ垂直方向に延びるようにネジ部材１５が結合されている。結合部材４は、Ｌ字状の断面形状を有し、各辺６に沿って延びる金属からなる板状の部材であって、隣接する２つの面部３と接触可能である。結合部材４は、ネジ部材１５に対応する位置にネジ開口部１６が設けられ、結合部材４は、ネジ開口部１６に通されたネジ部材１５にナット部材１７が締結されることにより面部３に結合される。
【００５７】
結合部材４は、各辺６が形成される角度に応じて、Ｌ字を形成する角度を調整して曲げ加工されている。ネジ部材１５は、各面部３の内側に溶接されている。ネジ部材１５は、各面部３の外側に飛び出ることがなく、筐体２の外側からはネジ部材１５は見えない。ネジ部材１５は、通常ネジ頭の無いウエルドボルト或いは溶接ボルトが使用される。結合部材４は、複数の形状のものが使用されるが、使用される板材の厚みと、辺６から長手方向に直交する方向に延びる幅は共通の長さである。一例として、板厚は１．６ｍｍであり、幅は２０ｍｍである。
【００５８】
面部３は、全て別体で形成されている。背面部３２を除いた隣接する面部３は、辺６において互いに接合されている。背面部３２は、結合部材４に着脱可能に取り付けられている。
【００５９】
面部３は、背面部３２を除き、互いに隣接する辺６において溶接によって接合されている。辺６は、溶接されることにより隙間がなく接合され、溶接後に補正処理が行われて凹凸が取り除かれて見栄えが良くなる。筐体２は、各面部３と結合部材４とが結合され、辺６の溶接と補正処理が行われた後に、外側と内側が塗装される。
【００６０】
＜面部３、結合部材４の効果＞
以上説明した、結合部材４には以下の効果がある。図２に示すように、筐体２は、結合部材４が、第一側面部３３と第二側面部３４、及び背面部３２との連続する３つの面部３によって形成される辺６の内側の全てに結合される。さらに他の面部３である前面部３１、底面部３５、及び天面部３６は、２つの辺６において結合部材４が結合される。よって、筐体２の剛性が高くなるという効果がある。
【００６１】
また、スピーカーユニット５はバッフル板１０を介してスピーカー取付面３１ａに取り付けられるので、前面部３１の剛性が高くなる。スピーカーユニット５は前面部３１よりも厚いバッフル板１０を介して前面部３１に取り付けられるので、よりスピーカーユニット５による振動を抑制できる。面部３のうち、少なくとも天面部３６と背面部３２と第一側面部３３と第二側面部３４とが同じ厚みの部材によって形成され、他の面部３を含めてバッフル板１０よりも薄い。よって、各面部３は、スピーカーユニット５から伝播される音波Ｌを受けて振動することができる。スピーカー装置１は、スピーカーユニット５が有する最低周波数付近の音まで再生できるので低音域での音の再現性が高められ、さらに歪みが少なくなめらかな中高音域の音を再生できるという効果がある。なお、面部３の厚みを薄くした効果を示す実験結果は後述する。
【００６２】
底面部３５は、接地面となる場合が多く、受け台或いは脚を使用する場合を除けば、振動が減衰される場合が多い。よって、必ずしも前面部３１を除く他の面部３と同じ厚みにする必要は無い。しかしながら、前面部３１と底面部３５は、他の面部３と同じ厚みであっても良い。
【００６３】
また、図２に示すように、面部３における互いに対向する２つの辺６を結ぶ方向において、結合部材４が長手方向に接触する接触領域を除いた任意の位置で、面部３が結合部材４と接触しない長さｍは、接触領域の長さｎの和の２倍以上である。すなわち、各辺６において結合部材４は各面部３の一部のみと接触し、各辺６から離れた位置では結合部材４に接触せず、各面部３は結合部材４と接触しない領域の方が大きい。よって、各面部３はそれぞれが有する振動特性を維持できるので、スピーカーユニット５から伝播された音波Ｌを受けて振動しやすい。スピーカー装置１は、スピーカーユニット５が有する最低周波数付近の音まで再生できるので低音域での音の再現性が高められ、さらに歪みが少なくなめらかな中高音域の音を再生できるという効果がある。
【００６４】
また、図１５に示すように、結合部材４は、各辺６の内側の形状に沿って形成され、ネジ部材１５は、筐体２の外側に出ることがないので外観デザインが向上する。ネジ部材１５は外観デザインに左右されにくいので、取付位置或いはサイズの自由度が高く、設計上の自由度が高まるという効果がある。
【００６５】
また、各面部３は各辺６において互いに接合されるので、各辺６において隙間の発生を防止する。よって、筐体２からの音漏れを防止することができる。また、各辺６において接合強度等の条件を同一にすることができるので、筐体２の全体の剛性バランスが崩れないという効果がある。各面部３は、単独で制作できるので製造が容易である。
【００６６】
また、各面部３は鉄製の材料によって形成されるので、塗装する際の色の選択範囲が広い。塗装は筐体２の内側にも行われるので、各面部３の内側は微少な凹凸が形成される。凹凸が形成されるので、各面部３の内側における消音効果が発生し、消音材を取り付ける必要が無い。よって、消音材を使用するための費用を削減できる。消音材は一般的に樹脂製のものが多い。スピーカー装置１を使用後に廃却する際、筐体２の内側に樹脂製等の消音材が無いので、鉄製の材料と樹脂製材料とを分離する手間が省ける。
【００６７】
＜筐体２の構成＞
次に、図１〜図８を参照して、スピーカー装置１の筐体２の構成を説明する。筐体２は、前面部３１と背面部３２とが、上側に向かうに従って前後方向の距離が短くなるように傾斜している。第一側面部３３と第二側面部３４とは、上側に向かうに従って幅方向の距離が短くなり、かつ、前側から後側に向かうに従って幅方向の距離が短くなるように傾斜している。天面部３６は、前面部３１から背面部３２に向かって下側に傾斜して構成されている。
【００６８】
スピーカーユニット５は、第一スピーカーユニット５ａと第二スピーカーユニット５ｂからなり、前後方向において、第一スピーカーユニット５ａと背面部３２との間にダクト部材１１を備える。背面部３２は、ダクト部材１１を臨む第一開口部３２ａを備える。第一スピーカーユニット５ａと第二スピーカーユニット５ｂとは、前面部３１の内側に上下方向に沿って並んで備えられる。第一スピーカーユニット５ａは、第二スピーカーユニット５ｂよりも低音域の音を再生可能であり、第一スピーカーユニット５ａは、第二スピーカーユニット５ｂよりも下側に備えられる。ダクト部材１１は、上下方向における中心よりも下側に備えられる。詳細には、ダクト部材１１は、筐体２の内部にあって上下方向において天面部３６よりも底面部３５に近い下側に位置する。
【００６９】
次に、図４〜図８を参照して、筐体２の構成をさらに詳細に説明する。図４を参照して、前面部３１を説明する。前面部３１における幅方向は、天面部３６に繋がる上側に比べて、底面部３５に繋がる下側の方が大きい。前面部３１は、幅方向の中心であって上下方向に延びる中心線Ｃ１に対して対称の形状である。第一スピーカーユニット５ａと第二スピーカーユニット５ｂは、中心線Ｃ１に沿って上下方向に並んで配置され、第一スピーカーユニット５ａが下側である。前面部３１は、天面部３６に繋がる部分と底面部３５に繋がる部分にそれぞれ傾斜部３１ｂと３１ｃが形成されている。図４に示す正面図において、対向する底面部３５の辺６と天面部３６の辺６とは平行である。
【００７０】
次に、図５を参照して第一側面部３３と第二側面部３４を説明する。なお、図５は第二側面部３４を示した図であるが、第一側面部３３は第二側面部３４と対称の形状なので説明は省略する。第二側面部３４の形状を形成する前面部３１と背面部３２は、底面部３５に対して上側にいくに従って互いに内側に傾斜し、また、天面部３６は、前面部３１の側から背面部３２に向かうに従って下側に傾斜している。第二側面部３４における前面部３１の側の形状は、前面部３１は下側が傾斜部３１ｂを挟んで底面部３５と繋がり、上側が傾斜部３１ｃを挟んで天面部３６と繋がって形成されている。
【００７１】
次に、図６を参照して底面部３５を説明する。底面部３５の形状を形成する第一側面部３３と第二側面部３４は、前面部３１の側から背面部３２の側に向かって互いに幅方向に狭くなるように傾斜している。図６に示す底面図において、対向する前面部３１の辺６と背面部３２の辺６とは平行である。
【００７２】
次に、図７を参照して天面部３６を説明する。天面部３６を形成する第一側面部３３と第二側面部３４とは、前面部３１から背面部３２へ向かうに従って互いに幅方向が短くなるように傾斜している。図７に示す平面図において、対向する前面部３１の辺６と背面部３２の辺６とは平行である。
【００７３】
次に、図８を参照して背面部３２を説明する。背面部３２は、背面の側から結合部材４に着脱可能であり、４箇所の背面ネジ３８によって結合部材４に締結される。背面部３２の形状を形成する第一側面部３３と第二側面部３４は、底面部３５から天面部３６に向かうに従って幅方向が短くなるように傾斜している。図８に示す背面図において、対向する底面部３５の辺６と天面部３６の辺６とは平行である。背面部３２には、第一開口部３２ａにダクト部材１１が臨んで取り付けられている。また、背面部３２には、ターミナルパネル３９と共にターミナル３７がパネルネジ４０によって取り付けられている。ターミナル３７は、後述する制御装置７と筐体２の外部とを接続するためのものである。
【００７４】
次に、各面部３が互いになす角度θについて説明する。図９に示すように、筐体２は、底面部３５に垂直な面であって前後方向に切断された第一切断面４１において、底面部３５の内側が、スピーカー取付面３１ａとなす角度θａと背面部３２の内側となす角度θｂは鋭角である。天面部３６の内側が背面部３２の内側となす角度θｃは鈍角である。スピーカー取付面３１ａが天面部３６の内側となす角度θｄは、θａ〜θｃが設定されることによって決められるが、一例として９０度でもよい。
【００７５】
図１０に示すように、底面部３５に垂直な面であって幅方向に切断された第二切断面４２において、底面部３５の内側が、第一側面部３３の内側となす角度θｅと第二側面部３４の内側となす角度θｆは鋭角である。天面部３６の内側が、第一側面部３３の内側となす角度θｇと第二側面部３４の内側となす角度θｈは鈍角である。
【００７６】
図１１に示すように、底面部３５と平行な面で切断された第三切断面４３において、スピーカー取付面３１ａが、第一側面部３３の内側となす角度θｊと第二側面部３４の内側となす角度θｋは鋭角である。背面部３２の内側が第一側面部３３の内側となす角度θｐと第二側面部３４の内側となす角度θｑは鈍角である。
【００７７】
図９〜図１１に示すように、第一スピーカーユニット５ａから音声が再生されたとき、第一スピーカーユニット５ａから伝播された音波Ｌ（Ｌ１〜Ｌ７）は、各面部３の内側に反射して以下の反射波Ｌ’となる。反射波Ｌ’は、天面部３６の内側に反射する反射波Ｌ１’と、第一側面部３３の内側に反射する反射波Ｌ４’、Ｌ６’と、第二側面部３４の内側に反射する反射波Ｌ５’、Ｌ７’、及び背面部３２の内側に反射する反射波Ｌ２’である。反射波Ｌ１’、Ｌ２’、Ｌ４’、Ｌ５’、Ｌ６’、Ｌ７’は、筐体２が対向する面の内側が全て平行な面で形成された直方体に比べて、より下側であってかつ前側に向かう。反射波Ｌ’の詳細は後述する。
【００７８】
次に、図９〜図１１を参照して、筐体２の内部において第一スピーカーユニット５ａから音声が再生されたときに伝播される音波Ｌ１〜Ｌ７とその反射波Ｌ１‘〜Ｌ７’について詳細に説明する。なお、後述するように、第二スピーカーユニット５ｂは遮蔽部材１８によって筐体２の内部への音の伝播が遮断されるので、伝播される音のほとんどは第一スピーカーユニット５ａによるものである。
【００７９】
図９は、図４における第一切断面４１（Ａ−Ａ視方向）の図であるが、断面Ａ−Ａの箇所に限らず幅方向のどの位置で切断しても同様である。なお、図９は、各面部３のみを表しており、他は省略している。図１０、図１１も同様である。図９に示すように、天面部３６へ向かう音波Ｌ１は、天面部３６の内面に反射すると反射波Ｌ１’となる。それに対して、天面部３６が底面部３５と平行な場合を仮想天面３６’としたとき、音波Ｌ１が仮想天面３６’に反射すると反射波Ｌ１”となる。反射波Ｌ１’と反射波Ｌ１”とを比較すると、反射波Ｌ１’の方が前側でありかつ下側に向く方向となる。
【００８０】
また、図９に示すように、背面部３２へ向かう音波Ｌ２は、背面部３２の内面に反射すると反射波Ｌ２’となる。それに対して、背面部３２が底面部３５に垂直な場合の仮想背面３２’としたとき、音波Ｌ２が仮想背面３２’に反射すると反射波Ｌ２”となる。反射波Ｌ２’と反射波Ｌ２”とを比較すると、反射波Ｌ２’の方が下側に向く方向となる。底面部３５へ向かう音波Ｌ３は、底面部３５の内面に反射すると反射波Ｌ３’となる。
【００８１】
図１０は、図５における第二切断面４２（Ｂ−Ｂ視方向）の図であるが、断面Ｂ−Ｂの箇所に限らず前後方向のどの位置で切断しても同様の形状（相似形の形状）である。図１０に示すように、第一側面部３３へ向かう音波Ｌ４は、第一側面部３３の内面に反射すると反射波Ｌ４’となる。それに対して、第一側面部３３が底面部３５に垂直な場合を仮想第一側面部３３’としたとき、音波Ｌ４が仮想第一側面部３３’に反射すると反射波Ｌ４”となる。反射波Ｌ４’と反射波Ｌ４”とを比較すると、反射波Ｌ４’の方が下側に向く方向となる。また、第二側面部３４へ向かう音波Ｌ５についても音波Ｌ４と同様であり、中心線Ｃ１に対して対象の状態となる。
【００８２】
図１１は、図４における第三切断面４３（Ｄ−Ｄ視方向）の図であるが、断面Ｄ−Ｄの箇所に限らず上下方向のどの位置で切断しても同様の形状（相似形の形状）である。図１１に示すように、第一側面部３３へ向かう音波Ｌ６は、第一側面部３３の内面に反射して反射波Ｌ６’となる。それに対して、音波Ｌ６が仮想第一側面部３３’に反射すると反射波Ｌ６”となる。反射波Ｌ６’と反射波Ｌ６”とを比較すると、反射波Ｌ６’の方が前側に向く方向となる。また、第二側面部３４へ向かう音波Ｌ７についても音波Ｌ６と同様であり、中心線Ｃ１に対して対象の状態となる。
【００８３】
なお、図９〜図１１では、音波Ｌは特定方向についてのみ説明したが、音波Ｌが伝播するどの方向に対しても、反射波Ｌ’は同様に前側であってかつ下側へ向く方向に反射する。
【００８４】
さらに、各面部３が互いになす角度θの間の関係について説明する。図９〜図１１に示す筐体２は、第二切断面４２において、底面部３５の内側が、第一側面部３３の内側となす角度θｅと第二側面部３４の内側となす角度θｆは等しい。天面部３６の内側が、第一側面部３３の内側となす角度θｇと第二側面部３４の内側となす角度θｈは等しい。また、第三切断面４３において、スピーカー取付面３１ａが、第一側面部３３の内側となす角度θｊと第二側面部３４の内側となす角度θｋは等しく、背面部３２の内側が第一側面部３３の内側となす角度θｐと第二側面部３４となす角度θｑは等しい。よって、反射波Ｌ１’と反射波Ｌ２’は、さらに前側に均等に向かい、反射波Ｌ４’、Ｌ５’、 Ｌ６’及びＬ７’は、さらに幅方向の中心に均等に向かう。
【００８５】
＜筐体２の構成による効果＞
以上説明したように、筐体２の構成により種々の効果を奏する。図４〜図８に示すように、スピーカー装置１の筐体２は、第一側面部３３と第二側面部３４と背面部３２とが、底面部３５から上側に向かうに従って互いに内側に傾斜している。よって、スピーカー装置１は、天面部３６の側に比べて底面部３５の側の内容積が大きくなるので、底面部３５を接地面として設置したときに安定するという効果がある。スピーカー装置１は、より重量が大きく低音域の音を再生する第一スピーカーユニット５ａが下側に備えられるので重心位置が下側になり、底面部３５を座面としたときに安定する。
【００８６】
さらに、第一スピーカーユニット５ａは、上下方向における中心よりも下側に位置するので内容積がより大きい領域にある。よって、スピーカー装置１は第一スピーカーユニット５ａが有する最低周波数付近の音まで再生でき、低音域での音の再現性を高められるという効果がある。また、中高音域においても、周波数帯の変化による急激な出力レベルの変化が少なくなり、滑らかな音を再生することができる。
【００８７】
さらに、筐体２は、第一側面部３３と第二側面部３４とが、上側に向かうに従って幅方向の距離が短くなり、かつ、前側から後側に向かうに従って上下方向の距離が短くなるように傾斜している。よって、前面部３１から背面部３２に向かうに従って断面積が減少するよう構成されるテーパー形状となり、定在波を抑えながら効率よく音を増幅又は減衰させることができる。
【００８８】
さらに、前後方向において、第一スピーカーユニット５ａと背面部３２との間にダクト部材１１を備える。よって、第一スピーカーユニット５ａの直接音とダクト部材１１内で発生する音とが共鳴することによって、音が増強されるいわゆるバスレフ効果が生じる。ダクト部材１１は、内容積が大きい領域に位置するので、よりバスレフ効果が大きくなるという効果がある。特に、上下方向における中心よりも下側は、上側よりも前後方向の距離が長くなるので、ダクト部材１１の長さを長くすることができる。よって、よりバスレフ効果を高めることができるという効果がある。
【００８９】
また、図９〜図１１に示すように、筐体２は第一切断面４１と第二切断面４２及び第三切断面４３において、隣接する各面部３の内面同士が上述した角度θをなして形成されている。より低音域の音声を再生する第一スピーカーユニット５ａから伝播される音波Ｌの反射波Ｌ’は、より下側であってかつ前側へ向かう。つまり、筐体２において、反射波Ｌ’はより広い空間へ向かう。よって、スピーカー装置１は、定在波の発生が抑止され、第一スピーカーユニット５ａが有する最低周波数付近の音まで再生でき、高品質の音声を得ることができる。また、中高音域においても、周波数帯の変化による急激な出力レベルの変化が少なくなり、滑らかな音を再生することができるという大きな効果がある。
【００９０】
また、筐体２が図９〜図１１において、第二切断面４２と第三切断面４３がそれぞれの中心線Ｃ１とＣ２に対して対象形状の場合、以下のようになる。すなわち、反射波Ｌ１’と反射波Ｌ２’は、さらに前側に均等に向かい、反射波Ｌ４’、Ｌ６’と反射波Ｌ５’、Ｌ７’は、さらに幅方向の中心に均等に向かう。第一スピーカーユニット５ａから再生された音波Ｌの反射波Ｌ’は、筐体２のうちの最も広い空間である下側であって前側に均等に向かう。よって、スピーカー装置１は、定在波を抑えながら第一スピーカーユニット５ａが有する最低周波数付近の音まで再生でき、高品質の音声を得る効果が顕著となる。また、中高音域においても、周波数帯の変化による急激な出力レベルの変化が少なくなり、滑らかな音を再生することができるという大きな効果がある。
【００９１】
＜ダクト部材１１の構成の説明＞
次に、図１２〜図１４を参照して、スピーカー装置１のダクト部材１１を説明する。図１２に示すように、スピーカー装置１は、ダクト部材１１が、底面部３５の内側に備えられたダクト取付部１２に取り付けられる。ダクト部材１１は、ダクト取付部１２に対応する位置と背面部３２の第一開口部３２ａに対応する位置の少なくとも２箇所にシール部材１３（１３ａ、１３ｂ）が取り付けられる。ダクト部材１１がダクト取付部１２に取り付けられたとき、シール部材１３がダクト部材１１とダクト取付部１２、及びダクト部材１１と背面部３２とに接触してそれぞれの隙間を塞ぐ。ダクト部材１１は、シール部材１３とダクト取付部１２及び背面部３２とが離間することにより筐体２に対して着脱可能である。
【００９２】
図１３に示す第一の例では、オーリングであるシール部材１３ａが使用される。ダクト部材１１はシール部材１３ａを取り付ける溝が形成されており、ダクト取付部１２の前後と背面部３２の内側においてシール部材１３ａが取り付けられて固定される。シール部材１３ａは、ダクト部材１１とダクト取付部１２との隙間、及びダクト部材１１と背面部３２との隙間をふさぐ働きをする。ダクト部材１１は、背面部３２を外したのち、ダクト取付部１２の前側のシール部材１３ａを外すことによりダクト取付部１２から取り外すことができる。ダクト部材１１を取り付けるときはこの逆の操作である。
【００９３】
また、図１４に示す第二の例では、スピーカー装置１は、シール部材１３ｂが円筒の一部に鍔部１４を有する形状であり、シール部材１３ｂの弾性率は、ダクト部材１１とダクト取付部１２、及び背面部３２のいずれよりも小さい。ダクト部材１１は、シール部材１３ｂを介してダクト取付部１２と背面部３２とに接触し、ダクト取付部１２は後側で鍔部１４に接触し、背面部３２は前側で鍔部１４に接触する。シール部材１３ｂは、図１４（ｂ）に示すように、軸受けに似た円筒状の形状であり、材質はゴム、エラストマー、軟質樹脂等の弾性部材が使用される。ダクト部材１１を取り外すときは、背面部３２を外し、ダクト部材１１を後ろ側へ引き抜くのみで取り外すことができる。ダクト部材１１を取りつけるときは、この逆の操作である。
【００９４】
また、図１４に示すように、ダクト部材１１は複数の長さのものと交換可能である。ダクト部材１１ａは、最も長さが長く、ダクト部材１１ｂ、ダクト部材１１ｃの順に長さが短くなる例を示す。ダクト部材１１は、長さが異なることによりバスレフ効果が異なるので、ユーザーは好みのダクト部材１１を選択して使用することができるし、或いは交換することができる。
【００９５】
＜ダクト部材１１の構成による効果＞
以上説明したように、スピーカー装置１はダクト部材１１の構成により種々の効果を奏する。図１３、図１４に示すように、ダクト部材１１は、シール部材１３ａ、１３ｂがダクト部材１１とダクト取付部１２、及びダクト部材１１と背面部３２とに接触して隙間を塞ぐので、筐体２からの音漏れを防止できる。また、ダクト部材１１は、シール部材１３とダクト取付部１２及び背面部３２とが離間することにより着脱可能なので、ユーザーは好みに応じて異なる特性を示すダクト部材１１を交換することができる。よって、スピーカー装置１は、ダクト部材１１内で発生する低音域を変更することができるので、バスレフ効果により異なった音域の音声を再生できるという効果がある。
【００９６】
また、図１４に示すように、ダクト部材１１はシール部材１３ｂを使用する構成であれば、ダクト部材１１はシール部材１３ｂを介してダクト取付部１２と背面部３２とに接触する。ダクト部材１１がダクト取付部１２及び背面部３２と直接接触することがない。また、シール部材１３ｂの弾性率は、ダクト部材１１とダクト取付部１２、及び背面部３２のいずれよりも小さいので、ダクト部材１１にて発生する振動がダクト取付部１２及び背面部３２に直接伝達することが抑制される。よって、スピーカー装置１は、ダクト取付部１２及び背面部３２の影響を抑止してダクト部材１１の効果を発揮できる。
【００９７】
＜制御装置７と棚部材８の構成＞
図１２を参照して、制御装置７と、制御装置７を載置する棚部材８の構成を説明する。
スピーカー装置１は、筐体２の内側において、スピーカーユニット５に接続され、スピーカーユニット５にて再生される音の周波数を制御する制御装置７と、制御装置７が着脱可能に載置される棚部材８とを備える。棚部材８は、天面部３６と底面部３５との間にあって、前後方向に沿って第一側面部３３と第二側面部３４とに結合され、前側に前面側開口部８ａと後側に背面側開口部８ｂとを備える。制御装置７は、棚部材８において、前後方向及び幅方向の中央部８ｃに載置される。背面部３２は第二開口部３２ｂを備え、制御装置７に接続された導線部材９が第二開口部３２ｂに接続される。また、制御装置７は、棚部材８に対して背面部３２の側から着脱可能である。さらに、図１及び図２に示すように、棚部材８は、前面側開口部８ａと背面側開口部８ｂ以外に複数の開口部８ｅが形成されている。
【００９８】
図１、図２及び図１２に示すように、棚部材８は結合部材４と同様に、第一側面部３３と第二側面部３４のそれぞれの内側に取り付けられる。棚部材８は、ネジ開口部１６に第一側面部３３と第二側面部３４のそれぞれの内側に取り付けられたネジ部材１５が挿入され、ナット部材１７によって締結され固定される。
【００９９】
次に、図１６を参照して、制御装置７の回路構成を説明する。制御装置７は、基板に電子部品が搭載されている。電子部品は、コンデンサーＣＮとコイルＬＣが搭載されている。コンデンサーＣＮは、第二スピーカーユニット５ｂに対して低音域周波数をカットするフィルターの働きをする。コイルＬＣは、第一スピーカーユニット５ａに対して高音域周波数をカットするフィルターの働きをする。カットする周波数はコンデンサーＣＮとコイルＬＣの定数によって決められる。
【０１００】
図１２に示すように、第一スピーカーユニット５ａと第二スピーカーユニット５ｂは、導線部材９によって制御装置７と接続される。また、制御装置７は導線部材９によってターミナルパネル３９に接続され、ターミナル３７によってスピーカー装置１と外部とが接続される。
【０１０１】
＜制御装置７と棚部材８の構成による効果＞
以上説明したように、スピーカー装置１は、制御装置７と棚部材８により種々の効果を奏する。図１、図２、及び図１２に示すように、棚部材８は、第一側面部３３と第二側面部３４に結合されるので、筐体２の剛性を高めることができる。本実施形態の例のように、第一側面部３３と第二側面部３４とが上下方向に長い形状の場合、上下方向の略中間の位置において、棚部材８が取り付けられるので、剛性を高める効果がある。
【０１０２】
また、棚部材８は、前面側開口部８ａと背面側開口部８ｂを有する。よって、前面部３１の側のスピーカーユニット５（５ａ、５ｂ）のうち特に第一スピーカーユニット５ａから再生された音波Ｌと、各面部３の内側で反射した反射波Ｌ’とが、棚部材８で遮蔽されるのを防止する。よって、再生された音波Ｌと反射波Ｌ’は、筐体２の内部の全領域で伝播することができるという効果がある。さらに、図１及び図２に示すように、棚部材８は、前面側開口部８ａと背面側開口部８ｂ以外に複数の開口部８ｅが形成されている。よって、棚部材８は、制御装置７が載置される中央部８ｃの周辺においても音波Ｌと反射波Ｌ’とが伝播できるよう構成されている。
【０１０３】
また、筐体２の内部に制御装置７が載置されるので、スピーカー装置１と外部とを接続するターミナル３７の数を少なくでき、スピーカー装置１の外部の配線が少なくなる効果がある。図８に示す例では、ターミナル３７は２個である。
【０１０４】
また、棚部材８は、底面部３５と天面部３６との間にあって、制御装置７は棚部材８において、前後方向及び幅方向の中央部８ｃに載置されるので、各面部３から離間している。よって、制御装置７は、各面部３がスピーカーユニット５から再生された音によって発生する振動を妨げない効果がある。制御装置７は棚部材８に着脱可能なので、制御装置７を交換することで、スピーカーユニット５にて再生される音の周波数を変更できるという効果がある。
【０１０５】
＜実験データの説明と効果の説明＞
次に、スピーカー装置１の効果を示す実験結果を説明する。図１７を参照して、スピーカー装置１と、本実施形態とは異なって筐体２’の互いに対向する面部３’が平行ないわゆる直方体のスピーカー装置１’とについて、前面部３１の側から測定した周波数特性の比較結果を説明する。この実験結果は、スピーカー装置１、１’に対して前面部３１から３０ｃｍ離れ、第一スピーカーユニット５ａと第二スピーカーユニット５ｂとの中間の高さで測定したものである。スピーカー装置１、１’は、内容積が約１３,６００立方センチメートル（幅方向の中心が約１６ｃｍ、上下方向の中心が約３１．５ｃｍ、前後方向の中心が約２７ｃｍ）であり、筐体２の面部３を形成する熱間圧延鋼板の板厚２種類（２．３ｍｍ、３．２ｍｍ）について測定した。
【０１０６】
図１７において、Ｔ１は本実施形態のスピーカー装置１の全ての面部３の板厚が２．３ｍｍ、Ｔ２は本実施形態とは異なるスピーカー装置１’の全ての面部３’の板厚が２．３ｍｍ、Ｔ３はスピーカー装置１’の全ての面部３’の板厚が３．２ｍｍの場合の測定結果である。図１７（ａ）は、低周波数領域において、Ｔ１〜Ｔ３の結果に差が見られる領域をピックアップしたもので、２０Ｈｚ〜１００Ｈｚのデータである。図１７（ｂ）は、中高周波数領域において、Ｔ１〜Ｔ３の結果に差が見られる領域をピックアップしたもので、３ｋＨｚ〜１０ｋＨｚのデータある。
【０１０７】
図１７（ａ）に示すように、Ｔ１〜Ｔ３は特に周波数が３０〜５０Ｈｚの領域で差がある。Ｔ１の出力はなめらかに変化して上昇しているのに対して、Ｔ２及びＴ３の出力は３５Ｈｚ及び４７Ｈｚ近辺で変曲点があり、急激な変化が見られる。よって、周波数が３０〜５０Ｈｚの低周波数領域で、Ｔ１は、Ｔ２及びＴ３よりも歪みが少なくなめらかな低音を再生できている。
【０１０８】
また、図１７（ｂ）に示すように、Ｔ１〜Ｔ３は特に周波数が３ｋＨｚ〜４ｋＨｚ、及び８ｋＨｚ〜１０ｋＨｚの領域で差がある。周波数が３ｋＨｚ〜４ｋＨｚの領域において、Ｔ２とＴ３の変化が激しいのに対して、Ｔ１の変化は緩やかである。周波数が８ｋＨｚ〜１０ｋＨｚの領域において、Ｔ３は最も変化が激しく、それと比較してＴ１とＴ２は変化が緩やかである。以上の結果より、Ｔ１の結果が最も望ましく、次にＴ２、Ｔ３の順である。
【０１０９】
以上の結果より、筐体２を形成する面部３の板厚は、スピーカー装置１’によるＴ２とＴ３の比較により、３．２ｍｍよりも２．３ｍｍの方が好ましい。すなわち、板厚が薄い方が望ましい結果である。面部３の板厚は、筐体２のサイズにより適正な厚みを選定する必要があるが、板厚が薄い方がスピーカーユニット５によって再生された音の再現性が高いことがわかる。
【０１１０】
また、筐体２の形態については、面部３が同じ板厚であるＴ１（本実施形態のスピーカー装置１）とＴ２(本実施形態とは異なるスピーカー装置１’)とを比較したところ、スピーカー装置１の方が好ましい。
【０１１１】
本実施形態のスピーカー装置１は結合部材４によって筐体２の剛性が高められるので、面部３の板厚を薄くすることができる。また、スピーカー装置１は各面部３が互いに傾斜して対向することと、底面部３５の側の空間を広くすることにより、定在波の発生を抑止し、低音域から中高音域にわたって歪みが少なくなめらかな出力の変化を実現できる。
【０１１２】
＜変形例＞
なお、本発明は上記の実施形態に限定されるものではなく、種々の変更が可能である。例えば、筐体２は、上側に向かうに従って空間が狭くなる構成について説明したがこれに限らない。定在波を防止する目的であれば、互いに対向する面部３が平行ではなく傾斜していればよいので、例えば上側に向かって空間が広くなる構成でも良い。或いは、前面部３１と背面部３２とが、上側に向かうに従って前後方向の距離が短くなるように互いに傾斜し、第一側面部３３と第二側面部３４とは、上側に向かうに従って幅方向の距離が長くなる構成でも良い。
【０１１３】
また、スピーカーユニット５は、前面部３１の内側のスピーカー取付面３１ａとの間にバッフル板１０を介して取り付けられる例を説明したがこれに限らない。スピーカーユニット５は、バッフル板１０を介さずにスピーカー取付面３１ａに直接取り付けられてもよい。さらに、前面部３１は、他の面部３よりも板厚を厚くして、バッフル板１０の役割を兼用しても良い。
【０１１４】
また、図９〜図１１に示す筐体２の例として、以下の説明を行った。すなわち、第二切断面４２において、底面部３５の内側が、第一側面部３３の内側となす角度θｅと第二側面部３４の内側となす角度θｆは等しい。天面部３６の内側が、第一側面部３３の内側となす角度θｇと第二側面部３４の内側となす角度θｈは等しい。また、第三切断面４３において、スピーカー取付面３１ａが、第一側面部３３の内側となす角度θｊと第二側面部３４の内側となす角度θｋは等しく、背面部３２の内側が第一側面部３３の内側となす角度θｐと第二側面部３４となす角度θｑは等しい。しかしながら、角度θｅと角度θｆ、及び角度θｇとなす角度θｈ、及び角度θｊと角度θｋとは必ずしも等しくなくても良い。その場合でも、定在波の発生を抑止することができる。
【符号の説明】
【０１１５】
１    スピーカー装置
２    筐体
３    面部
４    結合部材
５    スピーカーユニット
５ａ    第一スピーカーユニット
５ｂ    第二スピーカーユニット
６    辺
７    制御装置
８    棚部材
８ａ    前面側開口部
８ｂ    背面側開口部
８ｃ    中央部
９    導線部材
１０    バッフル板
１１    ダクト部材
１２    ダクト取付部
１３、１３ａ、１３ｂ    シール部材
１４    鍔部
１５    ネジ部材
１６    ネジ開口部
１７    ナット部材
３１    前面部
３２    背面部
３２ａ    第一開口部
３２ｂ    第二開口部
３３    第一側面部
３４    第二側面部
３５    底面部
３６    天面部
４１    第一切断面
４２    第二切断面
４３    第三切断面
θａ    底面部がスピーカー取付面となす角度
θｂ    スピーカー取付面が背面部となす角度
θｃ    天面部が背面部となす角度
θｅ    底面部が第一側面部となす角度
θｆ    底面部が第二側面部となす角度
θｇ    天面部が第一側面部となす角度
θｈ    天面部が第二側面部となす角度
θｊ    スピーカー取付面が第一側面部となす角度
θｋ    スピーカー取付面が第二側面部となす角度
θｐ    背面部が第一側面部となす角度
θｑ    背面部が第二側面部となす角度
ｍ    対向する辺を結ぶ方向における結合部材の接触領域長さ
ｎ    対向する辺を結ぶ方向における結合部材と接触しない面部の長さ
Ｌ    音波
Ｌ’、Ｌ１’、Ｌ２’、 Ｌ４’〜Ｌ７’    反射波
【図１】
2020170909.tif 000003
【図２】
2020170909.tif 000004
【図３】
2020170909.tif 000005
【図４】
2020170909.tif 000006
【図５】
2020170909.tif 000007
【図６】
2020170909.tif 000008
【図７】
2020170909.tif 000009
【図８】
2020170909.tif 000010
【図９】
2020170909.tif 000011
【図１０】
2020170909.tif 000012
【図１１】
2020170909.tif 000013
【図１２】
2020170909.tif 000014
【図１３】
2020170909.tif 000015
【図１４】
2020170909.tif 000016
【図１５】
2020170909.tif 000017
【図１６】
2020170909.tif 000018
【図１７】
2020170909.tif 000019